(57)【特許請求の範囲】
【請求項１】
ベット上に加熱手段を備えた下型または上型を備え、下型または上型のどちらか一方を昇降可能に設けたＣ型状のフレーム本体を一体的に設けて成る加硫用Ｃ型プレスにおいて、
前記Ｃ型状のフレーム本体の開口部側に、加圧時に上部フレームと下部フレームとの開口部の開きを防止するための口開き防止装置を設け、前記口開き防止装置は、上部フレームに昇降手段を介して昇降可能に設けられた連結ロッドと、下部フレームに前記連結ロッドの下端部をロックするロック機構と、前記連結ロッドのガイドロッドとにより構成したことを特徴とする加硫用Ｃ型プレス。
【発明の詳細な説明】
【０００１】
【発明の属する技術分野】
この発明は、加硫用Ｃ型プレスにかかわり、更に詳しくは加圧時にＣ型状のフレームの開口部側が上下方向に開くのを有効に防止させた加硫用Ｃ型プレスの改良に関するものである。
【０００２】
【従来の技術】
従来、ゴム状弾性材料等を加硫と同時にプレスを行う加硫プレスにおいては、作業性及び生産性が良好なことから断面Ｃ型状のフレームを用いた片持ち構造のＣ型プレスが一般に使用されている。
【０００３】
【発明が解決しようとする課題】
ところで、上記のようなＣ型プレスは、大型の製品を加硫プレスする場合、フレームの開口部側が上下方向に開いてしまう、所謂口開きが生じ、均一な加圧力を得ることが難しいため、従来では、図３（ａ），（ｂ）に示すように、上型１ａを取付ける上部フレーム２と下型１ｂを取付ける下部フレーム３との間の凹部３を深くするためにフレーム４全体を大きくして口開きを防止したり、また図４に示すように、上部フレーム２と上型１ａとの間にスィベル継手機構５を設けたり、またベット６と下部フレーム３との間に補強板７を介在させて加圧時にフレーム４の開口部側が開くのを防止させたＣ型プレスが知られている。
【０００４】
然しながら、前者のフレーム全体を大型にしたものは、装置全体が大きくなり、コストアップになる上に広いスペースも必要となり、また後者の場合にも、構造が複雑になり、高精度なプレスが出来ないと言う問題があった。
この発明は、かかる従来の問題点に着目して案出されたもので、作業性及び生産性を良好に維持させた状態で、加硫プレス中にはＣ型状のフレームの開口部側が上下方向に開くのを有効に防止させて成形品の成形精度を向上させ、更に装置全体を簡単な構造で小型化でき、しかも安価に製作出来る加硫用Ｃ型プレスを提供することを目的とするものである。
【０００５】
【課題を解決するための手段】
この発明は、上記目的を達成するため、Ｃ型状のフレーム本体の開口部側に、加圧時に上部フレームと下部フレームとの開口部の開きを防止するための口開き防止装置を設け、前記口開き防止装置は、上部フレームに昇降手段を介して昇降可能に設けられた連結ロッドと、下部フレームに前記連結ロッドの下端部をロックするロック機構と、連結ロッドのガイドロッドとにより構成したことを要旨とするものである。
【０００６】
この発明は、上記のように構成され、加硫プレスは作業性及び生産性の良好な片持ち構造のＣ型加硫プレスであって、更にフレーム本体の開口部側に、口開き防止装置を設けることで、加硫プレス中にはＣ型状のフレームの開口部側が上下方向に開くのを有効に防止させて成形品の成形精度を向上させ、更に装置全体を簡単な構造で小型化でき、しかも安価に製作出来るようにしたものである。
【０００７】
【発明の実施の形態】
以下、添付図面に基づきこの発明の実施の形態を説明する。
図１は、この発明を実施した加硫用Ｃ型プレスの全体正面図、図２は図１の側面図を示し、前記加硫用Ｃ型プレスのフレーム本体１０は、ベット１１上に加熱プレート等の加熱手段１２を備えた下型１３を取付ける下部フレーム１４と、昇降可能な上型１５を取付ける断面Ｃ型状の上部フレーム１６とを連結フレーム１０ａを介して一体的連結されている。
【０００８】
なお、加熱手段１２を備えた上型１５を固定し、下型１３を昇降可能に構成することも可能である。
前記断面Ｃ型状のフレーム本体１０の開口部Ｘ側には、加圧時、即ち、下型１３と上型１５とで製品を加圧する時、上部フレーム１６と下部フレーム１４との開口部Ｘが開くのを防止するための口開き防止装置１７が設けてある。
【０００９】
前記下部フレーム１４には、シリンダー１８ａを介してフレーム１６の開口部Ｘ側に水平移動可能なテーブル１８が設けられ、このテーブル１８上には、前記下型１３の両側端末部をクランプまたはアンクランプするクランプ手段１９ａ，１９ｂが設けてある。
また、上部フレーム１６に取付けられる上型１５は、ラム２０に支持された金型支持部材２１にクランプ手段２２ａ，２２ｂを介して着脱可能に取付けられ、金型支持部材２１は、加圧シリンダー２３，二本の昇降補助シリンダー２３ａ，２３ｂと、複数本の昇降時における同調用ラック２４を介して上部フレーム１６に支持されている。なお、２５は金型支持部材２１のガイド部材である。
【００１０】
前記口開き防止装置１７は、上部フレーム１６の側面に支持部材２６を介して昇降シリンダー等の二本の昇降手段２７ａ，２７ｂが取付けられ、この昇降手段２７ａ，２７ｂの下部に、下端部に凹状の係止部２８を備えた二本の連結ロッド２９ａ，２９ｂが昇降可能に吊設され、この二本の連結ロッド２９ａ，２９ｂは前記支持部材２６に支持された二本一対のガイドロッド３０ａ，３０ｂが連結されている。また、３１はガイドロッド３０ａ，３０ｂの上端に取付けられたストッパである。
【００１１】
また、前記下部フレーム１４の側面には、前記連結ロッド２９ａ，２９ｂの下端部に形成した凹状の係止部２８と係合させて連結ロッド２９ａ，２９ｂをクランプしてロックするロック機構３２が設けてある。このロック機構３２は、前記連結ロッド２９ａ，２９ｂの下端部が嵌合するホルダー３３内に、前記凹状の係止部２８に係合する水平方向に進退可能な係止部材３４を備え、加圧プレス時に上部フレーム１６と下部フレーム１４とを前記連結ロッド２９ａ，２９ｂ及びロック機構３２を介してロックし、加圧時に上部フレーム１６と下部フレーム１４との開口部Ｘが開くのを防止するようにしたものである。
【００１２】
また、加圧時には、上部フレーム１６と下部フレーム１４とを連結する連結フレーム１０ａの伸びと、連結ロッド２９ａ，２９ｂの伸び及びガイドロッド３０ａ，３０ｂの伸びとが同一になるように設定するものである。
この発明にかかる加硫用Ｃ型プレスは、上記のように構成され、フレーム本体１０の開口部側に口開き防止装置１７を設け、しかも加圧時には、上部フレーム１６と下部フレーム１４とを連結する連結フレーム１０ａの伸びと、連結ロッド２９ａ，２９ｂの伸び及びガイドロッド３０ａ，３０ｂの伸びとが同一になるように設定することで、加硫プレス中にはフレーム本体１０の開口部側が上下方向に開くのを連結ロッド２９ａ，２９ｂにより抑制させることで、常に均一の加圧力を保持した状態で加圧成形でき成形品の成形精度を向上させることが出来るものである。
【００１３】
【発明の効果】
この発明は、上記のようにＣ型状のフレーム本体の開口部側に、加圧時に上部フレームと下部フレームとの開口部の開きを防止するための口開き防止装置を設け、前記口開き防止装置は、上部フレームに昇降手段を介して昇降可能に設けられた連結ロッドと、下部フレームに前記連結ロッドの下端部をロックするロック機構と、連結ロッドのガイドロッドとにより構成したので、従来と同様に作業性及び生産性を良好に維持させた状態で、加硫プレス中にはＣ型状のフレームの開口部側が上下方向に開くのを有効に防止させることが出来、この結果、成形品の成形精度を向上させることが出来、更に装置全体を簡単な構造で小型化でき、しかも安価に製作出来る効果がある。
【図面の簡単な説明】
【図１】この発明を実施した加硫用Ｃ型プレスの全体正面図である。
【図２】図１の側面図である。
【図３】（ａ），（ｂ）は、従来のフレーム本体の開口部の開きを防止させるためのＣ型プレスにおける側面図と正面図である。
【図４】従来のフレーム本体の開口部の開きを防止させるためのＣ型プレスにおける側面図である。
【符号の説明】
１０  フレーム本体                      １１  ベット
１２  加熱手段                          １３  下型
１４  下部フレーム                      １５  上型
１６  上部フレーム                      １７  口開き防止装置
１８  テーブル                        １８ａ  シリンダー
１９ａ，１９ｂ  クランプ手段            ２０  ラム
２１  金型支持部材            ２２ａ，２２ｂ  クランプ手段
２３  加圧シリンダー
２３ａ，２３ｂ  昇降補助シリンダー      ２４  同調用ラック
２５  ガイド部材                        ２６  支持部材
２７ａ，２７ｂ  昇降手段                ２８  係止部
２９ａ，２９ｂ  連結ロッド    ３０ａ，３０ｂ  ガイドロッド
３１  ストッパ                          ３２  ロック機構
３３  ホルダー                          ３４  係止部材
Ｘ  開口部                          １０ａ  連結フレーム
【図１】
0003794662.tif 000002
【図２】
0003794662.tif 000003
【図３】
0003794662.tif 000004
【図４】
0003794662.tif 000005